(57)【要約】【目的】本発明は、レイアウト上に配置した機器、コネクタ、ケーブルを表示する機器レイアウト表示システムおよび機器レイアウト表示方法に関し、レイアウト上に機器、コネクタ、ケーブルとその位置を自動表示して機器の変更に伴い自動的に再表示すると共に、検索対象の機器、コネクタ、ケーブルを強調表示してその検索を容易に行うことを目的とする。【構成】  レイアウト上に配置する機器、コネクタ、ケーブルに当該機器、コネクタ、ケーブルを特定する情報を書き込んでそれぞれ貼付したＩＣタグと、レイアウト上に配置された機器、コネクタ、ケーブルにそれぞれ貼付されたＩＣタグから情報を読み取ると共にその位置を検出するためのＩＣタグリーダと、ＩＣタグリーダで読み取った情報およびその位置をもとに、レイアウト上の対応する位置に、読み取った情報に対応する機器、コネクタあるいはケーブルのイメージを表示する手段とを備える。【選択図】        図１
2006101630.tif 000002
【特許請求の範囲】
【請求項１】
レイアウト上に配置した機器、コネクタ、ケーブルを表示する機器レイアウト表示システムにおいて、
レイアウト上に配置する機器、コネクタ、ケーブルに当該機器、コネクタ、ケーブルを特定する情報を書き込んでそれぞれ貼付したＩＣタグと、
レイアウト上に配置された機器、コネクタ、ケーブルにそれぞれ貼付された前記ＩＣタグから情報を読み取ると共にその位置を検出するためのＩＣタグリーダと、
前記ＩＣタグリーダで読み取った情報およびその位置をもとに、レイアウト上の対応する位置に、読み取った情報に対応する機器、コネクタあるいはケーブルのイメージを表示する手段と
を備えたことを特徴とする機器レイアウト表示システム。
【請求項２】
前記ＩＣタグの位置を検出するとして、２つあるいは２つ以上の前記ＩＣタグリーダが当該ＩＣタグから読み取る信号の強度をそれぞれ可変して読み取れたときあるいは読み取れ無くなったときの信号強度をもとにＩＣタグの位置を検出することを特徴とする請求項１記載の機器レイアウト表示システム。
【請求項３】
前記ケーブルに複数のＩＣタグを貼付しておき、これら複数のＩＣタグから読み取った情報およびその位置をもとに、当該ケーブルの位置を表示することを特徴とする請求項１あるいは請求項２記載の機器レイアウト表示システム。
【請求項４】
前記ケーブル毎に色を変えてそのイメージを表示したことを特徴とする請求項１から請求項３のいずれかに記載の機器レイアウト表示システム。
【請求項５】
前記ケーブルに複数のＩＣタグを所定間隔毎に予め貼付しておき、これら複数の所定間隔毎に貼付したＩＣタグから読み取った情報およびその位置情報をもとに、当該ケーブルの位置をレイアウト上でいずれかの機器から順に所定間隔の位置情報のもの、または所定間隔に一番近い位置情報のものを見つけて他の機器に辿り着く経路を当該ケーブルの結線ルートとして表示することを特徴とする請求項１から請求項４のいずれかに記載の機器レイアウト表示システム。
【請求項６】
前記機器、コネクタあるいはケーブルを指定した検索指示に対応して、当該検索指示された機器、コネクタ、あるいはケーブルに貼付されているＩＣタグ、および、検索指示された第１世代のものに接続されている他の機器、コネクタあるいはケーブルに貼付されているＩＣタグ、または更に指定された第ｎ世代のものに接続されている更に他の機器、コネクタあるいはケーブルに貼付されているＩＣタグ、の位置をそれぞれ検出し、レイアウト上に強調表示することを特徴とする請求項１から請求項５のいずれかに記載の機器レイアウト表示システム。
【請求項７】
レイアウト上に配置した機器、コネクタ、ケーブルを表示する機器レイアウト表示方法において、
レイアウト上に配置する機器、コネクタ、ケーブルに当該機器、コネクタ、ケーブルを特定する情報を書き込んでそれぞれ貼付したＩＣタグを設け、
レイアウト上に配置された機器、コネクタ、ケーブルにそれぞれ貼付された前記ＩＣタグから、ＩＣタグリーダを制御して情報を読み取ると共にその位置を検出するステップと、
前記ステップで読み取った情報およびその位置をもとに、レイアウト上の対応する位置に、読み取った情報に対応する機器、コネクタあるいはケーブルのイメージを表示するステップと
を有する機器レイアウト表示方法。
【発明の詳細な説明】
【技術分野】
【０００１】
本発明は、レイアウト上に配置した機器、コネクタ、ケーブルを表示する機器レイアウト表示システムおよび機器レイアウト表示方法に関するものである。
【背景技術】
【０００２】
従来、企業内で機器を建屋内の床や壁や天井などに配置し、当該機器とこれらに接続されるケーブルの接続経路とを建屋の構造物を含めた物理的な位置関係を図示する場合、機器とその接続ルート情報と、機器の物理的な位置関係を示す図、建屋図面、フロア図面などの地図情報とを格納したデータベースを予め用意し、これら予め用意した機器と接続ルート情報とを地図図面情報に合成出力して表示していた（特許文献１）。
【特許文献１】特開平０８−０９５８８６号公報
【発明の開示】
【発明が解決しようとする課題】
【０００３】
このため、機器に関する情報およびそれらの接続ルート情報と、機器の物理的な位置関係を示す地図情報とを予め入力して作成して用意する必要があり、機器の増設、撤去、移動に伴うレイアウト変更があった場合に、これら変更対象の機器、機器の位置情報、接続ルート情報を全て再入力して正しく修正する作業がその都度、要求されてしまい、その作業に多大の工数を要求されていまうという問題があった。
【０００４】
また、機器と機器を接続する接続ルート情報は、実際に配置された床下、壁、あるいは天井にはりめぐらさせており、検索対象のケーブルを探すのが非常に困難であるという問題もあった。
【課題を解決するための手段】
【０００５】
本発明は、これらの問題を解決するため、機器、コネクタにＩＣタグを貼付および長いケーブルには複数のＩＣタグを予め貼付しておき、レイアウト上に機器、コネクタ、ケーブルを配置したときにＩＣタグリーダで全ＩＣタグとその位置を検出してレイアウト上に該当機器、コネクタ、ケーブルのイメージで表示することを目的としている。
【０００６】
従って、レイアウト上に機器、コネクタ、ケーブルとその位置を自動表示して機器の変更（増設、撤去、移動）に伴い自動的に再表示することが可能となると共に、検索対象の機器、コネクタ、ケーブルを強調表示してその検索を容易に行うことが可能となる。
【発明の効果】
【０００７】
本発明は、レイアウト上に機器、コネクタ、ケーブルとその位置を貼付されているＩＣタグの位置を検出して自動表示し、機器の変更（増設、撤去、移動）に伴い自動的に再表示することが可能となると共に、検索対象の機器、コネクタ、ケーブルを強調表示してその検索を容易に行うことが可能となる。これにより、
（１）機器、コネクタ、ケーブルにＩＣタグを貼付し、ＩＣタグの位置を特定してレイアウト上に表示するので、機器と接続ケーブルの位置関係を予め用意する手間が不要であり、機器やコネクタ付ケーブルの増設／撤去／移動があっても極めて容易かつ自動的に最新の情報をレイアウト上に表示することが可能となる。
【０００８】
（２）ＩＣタグを機器、コネクタ、ケーブルに貼付するため、人の目に見えない場所（床下、壁、天井裏、机の下）に張り巡らしたケーブルでも当該ケーブルに複数のＩＣタグを貼付しておくことで、その経路を簡易かつ正確にレイアウト上に表示させることが可能となる。
【０００９】
（３）長いケーブルに複数のＩＣタグを貼付して同一のケーブルＩＤを書き込んでおけば（あるいはＩＣタグのＩＤに対応づけてセンタで同一のケーブルＩＤに関連付けて記憶しておけば）、ケーブルに複数のＩＣタグを貼付してもその作業が簡易にすることが可能となる。
【００１０】
（４）機器の中から特定の機器を指定して検索し、レイアウト上に強調表示し、作業性を向上させることが可能となる。
【発明を実施するための最良の形態】
【００１１】
本発明は、機器、コネクタにＩＣタグを貼付および長いケーブルには複数のＩＣタグを予め貼付しておき、レイアウト上に機器、コネクタ、ケーブルを配置したときにＩＣタグリーダで全ＩＣタグとその位置を検出してレイアウト上に該当機器、コネクタ、ケーブルのイメージで表示することを実現した。
【実施例１】
【００１２】
図１は、本発明のシステム構成図を示す。
図１において、管理機器レイアウト表示システム１は、機器、コネクタ、ケーブルに貼付されているＩＣタグから読み取った情報およびその位置を検出し、レイアウト１５上の該当位置にそのイメージを表示するものであって、ここでは、処理装置２、ＩＣタグリーダ１２などから構成されるものである。
【００１３】
処理装置２は、パソコンなどの処理装置であって、ここでは、ＩＣタグ位置特定手段３、イメージ取得手段４、表示手段５、指示手段６、表示装置７、物品イメージ情報テーブル８、物品テーブル９、レイアウトイメージマスタ１０、およびＩＣタグ位置情報テーブル１１などから構成されるものである。
【００１４】
ＩＣタグ位置特定手段３は、読取電波強度可変型の複数のＩＣタグリーダ１２を制御し、レイアウト１５上に配置された機器、コネクタ、ケーブルに貼付されたＩＣタグ１３に電波を送信して無線で情報を読み出したり、信号強度（電波強度）を変えて情報が読み取れたとき（あるいは情報が読み取れなくなったとき）の信号強度をもとにＩＣタグリーダ１２とＩＣタグ１３までの距離を２組（あるいは３次元のときは３組）以上求めて三角測量の周知の原理をもとにレイアウト１５上のＩＣタグ１３の位置（レイアウト１５上の位置（ｘ，ｙ，ｚ））を特定（検出）するものである。
【００１５】
イメージ取得手段４は、ＩＣタグ位置特定手段３で特定した機器、コネクタ、あるいはケーブルに貼付したＩＣタグ１３の位置に、当該ＩＣタグ１３から読み取った情報をもとに対応する機器、コネクタあるいはケーブルのイメージを物品イメージ情報テーブル８から読み出して取得するものである。
【００１６】
表示手段５は、表示装置７の画面にレイアウト１５を表示し、この上にＩＣタグ位置特定手段３で特定した位置に、イメージ取得手段４で取得した機器、コネクタあるいはケーブルのイメージを表示するものである。
【００１７】
指示手段６は、各種指示（例えば機器、コネクタあるいはケーブルのいずれかを指定した検索指示など）を入力するものである。
【００１８】
表示装置７は、レイアウト１５などを表示するものである。
物品イメージ情報テーブル８は、物品ＩＤに対応づけて当該物品をレイアウト１５上に表示するイメージを予め登録したものである（図１１の（ｃ）参照）。
【００１９】
物品テーブル９は、物品ＩＤに対応づけて当該物品名を登録したものである（図１１の（ｄ）参照）。
【００２０】
レイアウトイメージマスタ１０は、部屋のレイアウトを予め登録したマスタである。
ＩＣタグ位置情報テーブル１１は、ＩＣタグ位置特定手段３によって特定したＩＣタグの位置（レイアウト１５上の位置（ｘ，ｙ，ｚ））を格納したものである。
【００２１】
ＩＣタグリーダ１２は、部屋の天井などに固定したＩＣタグリーダであって、送信する信号強度（電波強度）をステップ状に任意に変えることが出来るものであり、機器、コネクタあるいはケーブルに貼付したＩＣタグに向けて送信する信号強度を最高から順次弱くして情報が読み取れなくなったとき（あるいは信号強度を最低から順次強くして情報が読み取れたとき）の信号強度をもとに、当該信号強度と距離を予め測定して設定したテーブルを参照し、当該ＩＣタグリーダとＩＣタグとの距離を算出するためのものである。
【００２２】
ＩＣタグ１３は、ＩＣタグリーダ１２からの読み出し信号（読み出し電波）を受信したときに自己宛のものであったときに該当する情報を発信する公知のものである。
【００２３】
レイアウト１５は、機器、コネクタ、ケーブルを配置する部屋のレイアウトであって、ＩＣタグ１３を図示のように貼付して配置したものである。
【００２４】
次に、図２のフローチャートの順番に従い、図１の構成の動作を詳細に説明する。
図２の（ａ）は、本発明の動作説明フローチャートを示す。
【００２５】
図２の（ａ）において、Ｓ１は、ＩＣタグリーダ１２を制御してＩＣタグ１３の位置の特定を行う。これは、図１のＩＣタグ位置特定手段３が複数のＩＣタグリーダ１２を制御し、レイアウト１５上に配置した機器、コネクタ、およびケーブルに貼付したＩＣタグ１３から情報を読み取り、読み取りができたときの信号強度（最低強度から順次大きくしたときに最始に読み取りが出来たときの信号強度）あるいは読み取りができなくなったときの信号強度（最高強度から順次小さくして読み取れ無くなったときの信号強度）をもとに、ＩＣタグリーダ１２とＩＣタグ１３の間の距離を、予め信号強度と距離を測定して登録した図示外のテーブルを参照して算出する。そして、算出した２つあるいは３つ（３次元のとき）をもとに、三角測量の公知の手法を用い、レイアウト１５上のＩＣタグ１１の位置を算出し、その位置を図１１の（ａ）のＩＣタグ位置情報テーブル１１に登録する。
【００２６】
Ｓ２は、ＩＤを識別して物品イメージを取り出す。これは、Ｓ１でＩＣタグ１３から読み取った物品ＩＤをもとに図１１の（ｂ）の物品イメージ情報テーブル８から当該物品ＩＤの物品イメージを取り出す。
【００２７】
Ｓ３は、検出した位置に、地図図面とイメージ図を重ねて表示する。これは、レイアウトイメージマスタ１０からレイアウト図を取り出して表示装置７の画面上に表示すると共に、ＩＣタグ位置情報テーブル１４から取り出した機器、コネクタあるいはケーブルの位置に当該イメージを重ねて表示する。これにより、レイアウト１５の上に、ＩＣタグ１３のある位置に当該ＩＣタグ１３から読み取った物品ＩＤの物品イメージが表示され、全体の機器、コネクタおよびケーブルの配置された様子を、利用者が認識することが可能となる。
【００２８】
Ｓ４は、全ＩＣタグが終わりか判別する。ＹＥＳの場合には、終了する。ＮＯの場合には、次のＩＣタグ１３についてＳ１以降を繰り返す。
【００２９】
以上によって、レイアウト１５上にＩＣタグ１３を貼付した物品（機器、コネクタ、ケーブル）を配置すると、自動的にＩＣタグ１３から物品ＩＤを読み出すと共に、読み出す信号強度を可変して情報が読み取れたとき（あるいは読み取れなくなったとき）の信号強度をもとにテーブルを参照してＩＣタグリーダ１２とＩＣタグ１３との距離を２組（３次元のときは３組）を算出してＩＣタグ１３の位置を特定し、レイアウト１５上の特定した位置に読み取った物品ＩＤの物品イメージを表示することが可能となる。これにより、レイアウト１５上に機器、コネクタおよびケーブルの配置（新規に配置、移動、破棄、増加した後の配置）を自動的に検出してレイアウト１５上に重畳表示することが可能となる。
【００３０】
図１１の（ｃ）は、ＩＣタグ１３に格納する情報の例を示す。ＩＣタグ１３には一意のタグＩＤに加えて、管理機器識別情報として当該ＩＣタグ１３を貼付する物品ＩＤなどを予め書き込み、物品（機器、コネクタ、ケーブル）に貼付するものである。図１の構成のもとで、ＩＣタグリーダ１２は、物品に貼付されているＩＣタグ１３から、ここでは、物品ＩＤを読み取る。
【００３１】
以上のように、ＩＣタグ１３を貼付する物品の物品ＩＤを予め書き込んで当該物品に貼付（あるいは貼付してから書き込む）ことにより、レイアウト１５上のいずれに配置されても、その物品とその位置を自動的に検出してレイアウト１５上にその位置に当該物品の物品イメージを分かり易く表示することが可能となる。
【００３２】
図３は、本発明のレイアウト説明図を示す。
図３の（ａ）は側面断面図を示し、図３の（ｂ）は上から見たレイアウトを示す。
【００３３】
図３の（ａ）において、管理機器レイアウト表示システム１は、太い点線で囲んだ領域内に示すように、図１の管理機器レイアウト表示システム１の具体例を示し、部屋のここでは、天井に複数のＩＣタグリーダ１２を固定し、有線あるいは無線で処理装置２に接続している。そして、太い点線で囲んだ領域外のレイアウト１５に示すように、ＩＣタグ１３を貼付した物品であるサーバ、パソコン、ＡＴＭ，更に、これらを接続するコネクタ、ケーブルを図示のように配置する。
【００３４】
図３の（ｂ）において、上から見たレイアウト１５は物品（ここでは、サーバ、ＡＴＭ，パソコン、コネクタ、ケーブル）を図示のように接続したものである。特に、ケーブルは、図３の（ａ）の側面断面図に示すように、床下に配置されて人目には直接は見えないように配置されているが、ケーブルに貼付された複数のＩＣタグからそれぞれ情報を読み取ると共に読取信号の強度を可変して読み取れなくたったときの信号強度（あるいは読み取れたときの信号強度）をもとに予め作成したテーブルを参照して距離を算出しこれら距離をもとに位置を算出し、図３の（ａ）のようなレイアウト１５上にその位置に当該物品（ケーブル）のイメージを表示し、そのレイアウトを判りやすく自動表示することが可能となる。以下順次詳細に説明する。
【００３５】
図４は、本発明の表示例（１）を示す。これは、既述した図２のフローチャートに従い、物品（機器、コネクタ、ケーブル）に貼付したＩＣタグ１３からその物品ＩＤを読み取る、および読取信号の強度を可変して読み取れたときの信号強度（読み取れなくなったときの信号強度）の２組（あるいは３次元のときは３組）をもとに距離をそれぞれ算出してＩＣタグ１３のレイアウト１５上の位置を公知手法で算出し、各物品の位置に●を表示および物品イメージを重畳表示した例を示す。
【００３６】
例えば表示例（１）の上段の「サーバ」は、貼付したＩＣタグ１３から読み出した物品ＩＤと、読み出すときの信号強度を可変して読み取れたとき（あるいは読み取れなくなったとき）の信号強度をもとにテーブルを参照して距離をそれぞれ算出し、これら距離からレイアウト１５上の位置（ｘ，ｙ，ｚ）を算出し、この位置に●および物品であるサーバのサーバイメージを取り出して図示のように表示したものである。また、物品が「ケーブル」の場合には、複数のＩＣタグ１３が同一ケーブルに貼付されているので、図示の例えば物品「ケーブル１」は、複数の位置に●および物品（ケーブル１）のイメージがそれぞれ表示されることとなる（ケーブルの場合には、ケーブル１，２が図示のレイアウト１５にはあるので、これらをそれぞれ異なる色、例えばケーブル１は図示のように青色、ケーブル２は緑色と色分けしてその接続状態を分かり易く表示する）。
【００３７】
図５は、本発明の動作説明フローチャートを示す。
図５において、Ｓ１１は、ＩＣタグリーダ１２を制御してＩＣタグ１３の位置の特定を行う。これは、図１のＩＣタグ位置特定手段３が複数のＩＣタグリーダ１２を制御し、レイアウト１５上に配置した機器、コネクタ、およびケーブルに貼付したＩＣタグ１３から情報を読み取り、読み取りができたときに信号強度（最低強度から順次大きくしたときに最始に読み取りが出来たときの信号強度）あるいは読み取りができなくなったときの信号強度（最高強度から順次小さくして読み取れ無くなったときの信号強度）をもとに、ＩＣタグリーダ１２とＩＣタグ１３の間の距離を、予め信号強度と距離を測定して登録した図示外のテーブルを参照して算出する。そして、算出した２つあるいは３つ（３次元のとき）をもとに、三角測量の公知の手法を用い、レイアウト１５上のＩＣタグ１３の位置を算出し、その位置を図１１の（ａ）のＩＣタグ位置情報テーブル１４に登録する。
【００３８】
Ｓ１２は、物品か判別する。これは、Ｓ１１でＩＣタグ１３から読み取った物品ＩＤが物品（機器、コネクタ）か判別する。ＹＥＳの場合には、Ｓ１３に進む。ＮＯの場合には、物品（機器、コネクタ）でなく、ケーブルと判明したので、Ｓ１５に進む。
【００３９】
Ｓ１３は、Ｓ１２のＹＥＳで物品（機器、コネクタ）と判明したので、ＩＤを識別して物品イメージを取り出す。これは、機器、コネクタの物品ＩＤをもとに、物品イメージ情報テーブル１０から物品の物品イメージを取り出す。
【００４０】
Ｓ１４は、検出した位置に、地図図面とイメージ図を重ねて表示する。これは、レイアウトイメージマスタ１０からレイアウト図を取り出して表示装置７の画面上に表示すると共に、ＩＣタグ位置情報テーブル１４から取り出した物品（機器、コネクタ）の位置に当該イメージを重ねて表示する（合成図（１）１６として表示する）。そして、Ｓ１５に進む。これにより、レイアウト１５の上に、ＩＣタグ１３のある位置に当該ＩＣタグ１３から読み取った物品ＩＤの物品（機器、コネクタ）のイメージが表示され、機器、コネクタの配置された様子を、利用者が認識することが可能となる。
【００４１】
Ｓ１５は、ケーブルを除く全ＩＣタグの終了か判別する。ＹＥＳの場合には、Ｓ１６に進む。ＮＯの場合には、次のＩＣタグ１３についてＳ１１以降を繰り返す。
【００４２】
Ｓ１６は、同一ケーブルのＩＣタグを検索してケーブル接続経路を重ね合わせて表示する。これは、物品（ケーブル）に複数の同一内容のＩＣタグが、図６に示すように、一定間隔で複数貼付されているので、図７で詳述するようにして、左端（コネクタに接続されている左端）を始点に、一定距離の位置にあるＩＣタグ１３、または一定距離に最も近いＩＣタグ１３を次に接続されているケーブルのＩＣタグ１３と決定することを繰り返し、ケーブルに貼付された複数の同一内容のＩＣタグ１３の位置を順次結線し、ケーブルを接続する。
【００４３】
Ｓ１７は、全ケーブル終了か判別する。ＹＥＳの場合には、終了する。ＮＯの場合には、Ｓ１６で次のケーブルについて繰り返す。
【００４４】
以上によって、レイアウト１５上に配置された物品（機器、コネクタ）に貼付されたＩＣタグ１３から物品ＩＤを読み出す、および読み出す信号強度を可変して読み取れたときの信号強度（あるいは読み取れなくなったときの信号強度）をもとに距離を算出しこれら距離をもとにその位置を算出し、レイアウト上の物品（機器、コネクタ）の位置に当該物品のイメージを表示する（Ｓ１１からＳ１５）と共に、複数のＩＣタグ１３を貼付したケーブルについては左端（あるいは右端）から始めて一定距離にあるＩＣタグ１３、または一定距離に最も近いＩＣタグ１３を次の位置のＩＣタグ１３と決定することを繰り返し（図７参照）てケーブルを接続してレイアウト１５上に当該ケーブル毎に色分けて接続したケーブル配線図を重畳表示することが可能となる。
【００４５】
図６は、本発明の説明図（接続ケーブルのＩＣタグの貼り方）を示す。ケーブルの両端にコネクタを取り付けて当該コネクタにＩＣタグ１３を取り付ける。そして、ケーブルは、例えば左端のコネクタから一定間隔毎にＩＣタグを順次取り付ける（ＩＣタグには、当該ケーブルを表す一意の同一の物品ＩＤを予め書き込んでおく、コネクタには当該コネクタ毎の一意の物品ＩＤを予め書き込んでおく）。
【００４６】
以上によって、長いケーブルには、一定間隔毎に、同一の物品ＩＤ（当該ケーブルを一意に表すＩＤ）を予め書き込んだＩＣタグ１３を図示のように複数貼付しておくことにより、既述した図５のフローチャートの手順に従い、同一の物品ＩＤ（ケーブル）を貼付された位置について、左端（あるいは右端）から始めて一定距離などにあるものを次の接続点として順次結線することが可能となる（図７参照）。
【００４７】
図７は、本発明の動作説明図（ケーブルの結線）を示す。
図７の（ａ）は、動作説明フローチャートを示す。
【００４８】
図７において、Ｓ２１は、同一ケーブル（ｉ）に貼られたＩＣタグを探索する。これは、既述した図６のケーブル（ｉ）（ｉ＝０からｎ）に一定間隔に貼付された複数のＩＣタグを探索する。
【００４９】
Ｓ２２は、一番左に位置するＩＣタグを抽出する（Ａ）。これは、例えば図６に示すように、コネクタ１とコネクタ２との間に接続されているケーブル（ｉ）について、図示では一番左側（あるいは右側）に貼付されているＩＣタグ（コネクタ１から一番近い距離にあるケーブル（ｉ）に貼付されているＩＣタグ）を抽出する。これにより、図６で、コネクタ１に一番近くに接続されているＩＣタグ（Ａ）が抽出されたこととなる。
【００５０】
Ｓ２３は、抽出したＩＣタグに対して一定距離内で、かつ一定距離に一番近くかつ結線済でないＩＣタグを探索する（Ｂ）。これにより、Ｓ２２で抽出したＩＣタグ（Ａ）（図６のコネクタ１に一番近いＩＣタグ）に結線するＩＣタグ（Ｂ）が決定されたこととなる。
【００５１】
Ｓ２４は、（Ａ）と（Ｂ）を結線し表示する。これにより、Ｓ２２で抽出されたＩＣタグ（Ａ）と、Ｓ２３で抽出されたＩＣタグ（Ｂ）とを結線して画面上に表示、例えば図７の（ｂ）のコネクタ１からＩＣタグ１（Ａ）、さらに、ＩＣタグ１（Ａ）からＩＣタグ２（Ｂ）へと実線で示すように結線して画面上に表示することが可能となる。
【００５２】
Ｓ２５は、同一ケーブル終わりか判別する。ＹＥＳの場合には、同一ケーブルに貼付されている全てのＩＣタグについて、Ｓ２３、Ｓ２４の処理を終了したので、Ｓ２６に進む。一方、ＮＯの場合には、Ｓ２６で（Ｂ）を（Ａ）に置換し（Ｓ２３で探索したＩＣタグをＩＣタグ（Ａ）に置換し）、Ｓ２３、Ｓ２４を繰り返し処理を繰り返す。
【００５３】
Ｓ２８は、全ケーブル終わりか判別する。ＹＥＳの場合には、終了する。ＮＯの場合には、ｉ＝ｉ＋１し、次のケーブル（ｉ）について、Ｓ２１以降を繰り返す。
【００５４】
以上によって、図６に示すように、コネクタ１とコネクタ２との間に接続したケーブル（ｉ）について、複数のＩＣタグ（同一ケーブルＩＤを書き込んで一定距離に順次貼付した複数のＩＣタグ）がある場合には、いずれか一方のコネクタから始めて一番近い距離（図６では一番左側）にあるＩＣタグを見つけ、このＩＣタグから一定距離内かつ一定距離に一番近いかつ結線済でないＩＣタグを見つけて結線することを順次当該ケーブルに貼付されている全てのＩＣタグについて行うと共に、図７の（ｂ）に示すように、コネクタ１から順にＩＣタグを実線で示すように接続して表示することが可能となる。これにより、若干硬くてほぼ直線や大きな半径や糸のようにくねくね曲折しないケーブルについて、同一ケーブルＩＤを書き込んだ複数のＩＣタグを当該ケーブルに一定間隔で貼付することにより、レイアウト上に配置された位置を自動検出してレイアウト（部屋）上でケーブル結線図を自動作成して自動表示することが可能となる。
【００５５】
図７の（ｂ）は、ケーブルの結線の仕方の例を示す。ここでは、左端のコネクタ１に一番近い（図では左側）のＩＣタグＩ（Ａ）を見つけて結線（図７の（ａ）のＳ２２）し、次に、これに一定距離内、かつ一定距離に一番近く、かつ結線済でないＩＣタグ（Ｂ）を見つけて次に接続し（Ｓ２３）、実線で示すように、ケーブル接続図を自動作成して表示する（Ｓ２４）ことが可能となる。そして、同様に、繰り返し、図示の点線に示すケーブル結線を抽出して実線表示してケーブル接続図を作成して自動表示することが可能となる。
【００５６】
図８は、本発明の表示例（２）を示す。これは、既述した図５のフローチャートに従い、ケーブルに同一ケーブルＩＤを書き込んで貼付した複数のＩＣタグをもとにケーブル結線してレイアウト上に重畳表示した例を示す。ここでは、機器「ＡＴＭ」から機器「サーバ」へ接続するケーブルのケーブル結線表示と、機器「パソコン」から機器「サーバ」へ接続するケーブルのケーブル結線表示との２つのケーブル結線表示した様子を示す。
【００５７】
図９は、本発明の動作説明フローチャートを示す。
図９において、Ｓ３１は、レイアウト図を作成する。これは、既述した図１〜図８によって説明した手法により、レイアウト（部屋）上に配置した機器、コネクタ、ケーブルにそれぞれ貼付したＩＣタグから読み取った情報（機器、コネクタ、ケーブルを表すＩＤ）およびその位置（ＩＣタグから情報を読み取れたあるいは読み取れなくなったときのＩＣタグリーダから送信した複数組の信号強度をもとに特定したＩＣタグの位置）をもとにレイアウト上の該当位置に機器、コネクタ、ケーブル（更に、ケーブル結線図）のイメージを配置したレイアウト図を作成する。
【００５８】
Ｓ４１は、機器の指定する。これは、利用者が、レイアウト上で検索しようとする機器（機器、コネクタ、ケーブル）を指定する。ここでは、例えば図１０のレイアウト上の「ＡＴＭ」を指定する。
【００５９】
Ｓ４２は、指定機器に接続されている管理対象機器を抽出する。これは、Ｓ４１で指定された機器、例えば図１０のレイアウト上に表示されている指定された機器「ＡＴＭ」に、接続されている管理対象機器として、ここでは、コネクタ１ーケーブル１ーコネクタ２で接続されている機器「サーバ」を抽出する（図１１の（ｅ）の結線図を参照）。
【００６０】
Ｓ４３は、抽出機器に色をつけて表示する。これは、図１０に示すように、Ｓ４２で抽出した、
・ＡＴＭ−コネクタ１−ケーブル１−コネクタ２−サーバ
にそれぞれ色をつけて強調表示する。
【００６１】
以上によって、図１０のレイアウト上で「ＡＴＭ」を指定するとこれに接続されているコネクタ１−ケーブル１−コネクタ２−サーバを順次検索（１世代）して抽出し（図１１の（ｅ）の結線図参照）、レイアウト上で、ＡＴＭ−コネクタ１ーケーブル１−コネクタ２−サーバをそれぞれ色表示して検索結果を分かり易く強調表示することが可能となる。
【００６２】
図１０は、本発明の表示例（３）を示す。これは、レイアウト上で機器「ＡＴＭ」を指定して検索指示すると、図１１の（ｅ）のＩＣタグ情報を検索して接続されている、ここでは、コネクタ１−ケーブル１ーコネクタ２−サーバを抽出して図示のように色表示することが可能となる。
【００６３】
図１１は、本発明のデータ／情報例を示す。
図１１の（ａ）は、ＩＣタグ位置情報テーブルの例を示す。ＩＣタグ位置情報テーブル１４は、ＩＣタグ１３から情報を読み取れたときあるいは読み取れ無くなったときの当該ＩＣタグ１３に向けて送信した信号強度（電波強度）をもとに、図示外のテーブルを参照してＩＣタグ１３とＩＣタグリーダ１２との間の距離を複数組求めて三角測量の公知の式より当該ＩＣタグ１３の位置を算出して設定したテーブルであって、ここでは、図示の下記の情報を対応づけて設定するものである。
【００６４】
・物品ＩＤ：
・位置情報（Ｘ１，Ｙ１，Ｚ１）：
・その他：
ここで、物品ＩＤは機器、コネクタ、ケーブルを一意に表すＩＤである。位置情報は測定して求めたＩＣタグの位置（Ｘ１、Ｙ１、Ｚ１）である。
【００６５】
以上のように、機器に貼付されたＩＣタグ１３の位置を、複数組のＩＣタグリーダ１２で当該１つのＩＣタグ１３の情報の読み取れたときあるいは読み取れ無くなったときの信号強度をもとに距離をそれぞれ算出してこれら距離からＩＣタグ１３の位置を算出して当該ＩＣタグから読み出した物品ＩＤに対応づけて設定することにより、レイアウト上の位置に当該物品ＩＤで表される機器、コネクタ、ケーブルのイメージでその配置を表示することが可能となる。
【００６６】
図１１の（ｂ）は、物品イメージ情報テーブルの例を示す。物品イメージ情報テーブル８は、物品ＩＤに対応づけてその物品（機器、コネクタ、ケーブル）のイメージを予め作成して登録したものであって、ここでは、図示の下記の情報を対応づけて登録したものである。
【００６７】
・物品ＩＤ：
・物品イメージ：
・その他：
ここで、物品ＩＤは物品（機器、コネクタ、ケーブル）を一意に表すＩＤである。物品イメージは、物品ＩＤで表される物品を、レイアウト上で分かり易く表示するイメージである。
【００６８】
図１１の（ｃ）は、ＩＣタグ情報の例を示す。これは、ＩＣタグ１３に書き込んでおく情報の例であって、図示の下記の情報を対応づけて書き込んだものである。
【００６９】
・タグＩＤ：
・物品ＩＤ：
・結線順番：
・その他：
ここで、タグＩＤはＩＣタグを一意に識別するＩＤである。物品ＩＤはＩＣタグ１３を貼付した物品を一意に表す物品ＩＤである。結線順番は物品ＩＤで表わされる物品がケーブルの場合に、当該ケーブルに順番に複数のＩＣタグを貼付したときの当該ケーブルの始からの順番を表す数字などであり、ケーブルの結線をこの順番に行うようにしてもよい。
【００７０】
以上のように、ＩＣタグ１３にタグＩＤ，物品ＩＤ、更に必要に応じて結線順番を書き込んで物品（機器、コネクタ、ケーブル）に貼付することにより、ＩＣタグリーダ１２でこれら読み取った情報（タグＩＤ，物品ＩＤ，結線順番）、およびこれら情報の読み取れたときあるいは読み取れなくなったときに送信した複数の信号強度をもとに位置を算出し、既述した図１１の（ａ）のＩＣタグ位置情報テーブル１４に物品ＩＤ，位置情報、更に、結線順番を登録し、レイアウト上の該当位置にその物品のイメージを表示することが可能となる。
【００７１】
図１１の（ｄ）は、物品テーブルの例を示す。物品テーブル９は、図示の下記の情報を対応づけて予め登録したものである。
【００７２】
・物品ＩＤ：
・物品名：
・その他：
ここで、物品ＩＤは物品（機器、コネクタ、ケーブル）に一意に付与したＩＤである。物品名は物品ＩＤで表される物品の名称である。
【００７３】
図１１の（ｅ）は、機器、コネクタ、ケーブルに貼るＩＣタグ情報の例を示す（図１０）。これは、既述した図１０のレイアウト上に配置されている機器（ＡＴＭ，サーバ、パソコン）、コネクタ１，２、ケーブル１，２のＩＣタグ情報の例を示したものである。
【００７４】
図１１の（ｅ−１）は、コネクタ１に貼るＩＣタグ情報の例を示す。ここでは、図１０のコネクタ１には、図示の下記の情報を格納して貼付する。
【００７５】
・タグＩＤ：
・物品ＩＤ：００２（コネクタ１）
・接続元情報：００６（ＡＴＭ）
・接続先情報：００３（ケーブル１）
図１１の（ｅ−２）は、コネクタ２に貼るＩＣタグ情報の例を示す。ここでは、図１０のコネクタ２には、図示の下記の情報を格納して貼付する。
【００７６】
・タグＩＤ：
・物品ＩＤ：００４（コネクタ２）
・接続元情報：００１（サーバ）
・接続先情報：００３（ケーブル１）
図１１の（ｅ−３）は、ケーブル１に貼るＩＣタグ情報の例を示す。ここでは、図１０のケーブル１には、図示の下記の情報を格納して貼付する。
【００７７】
・タグＩＤ：
・物品ＩＤ：００１（ケーブル１）
・接続元情報：００２（コネクタ１）
・接続先情報：００４（コネクタ２）
図１１の（ｅ−４）は、サーバに貼るＩＣタグ情報の例を示す。ここでは、図１０のサーバには、図示の下記の情報を格納して貼付する。
【００７８】
・タグＩＤ：
・物品ＩＤ：００１（サーバ）
図１１の（ｅ−５）は、パソコンに貼るＩＣタグ情報の例を示す。ここでは、図１０のパソコンには、図示の下記の情報を格納して貼付する。
【００７９】
・タグＩＤ：
・物品ＩＤ：００７（パソコン）
図１１の（ｅ−６）は、ＡＴＭに貼るＩＣタグ情報の例を示す。ここでは、図１０のＡＴＭには、図示の下記の情報を格納して貼付する。
【００８０】
・タグＩＤ：
・物品ＩＤ：００６（ＡＴＭ）
以上の情報をＩＣタグにそれぞれ書き込んで当該ＩＣタグを該当物品に貼付することで、当該ＩＣタグ１３から読み取った情報、および読み取れたときあるいは読み取れなくなったときのＩＣタグリーダが送信した信号強度の複数組をもとにその位置を算出し、既述した図１０に示すように、レイアウト上で、指定されたここでは、ＡＴＭに接続されているコネクタ１、ケーブル１、コネクタ２、サーバを色分け表示することが可能となる。
【産業上の利用可能性】
【００８１】
本発明は、機器、コネクタにＩＣタグを貼付および長いケーブルには複数のＩＣタグを予め貼付しておき、レイアウト上に機器、コネクタ、ケーブルを配置したときにＩＣタグリーダで全ＩＣタグとその位置を検出してレイアウト上に該当機器、コネクタ、ケーブルのイメージで表示することが可能となる。
【図面の簡単な説明】
【００８２】
【図１】本発明のシステム構成図である。
【図２】本発明の動作説明フローチャートである。
【図３】本発明のレイアウト説明図である。
【図４】本発明の表示例（１）である。
【図５】本発明の動作説明フローチャートである。
【図６】本発明の説明図（接続ケーブルのＩＣタグの貼り方）である。
【図７】本発明の動作説明図である。
【図８】本発明の表示例（２）である。
【図９】本発明の動作説明フローチャートである。
【図１０】本発明の表示例（３）である。
【図１１】本発明のデータ／情報例である。
【符号の説明】
【００８３】
１：管理機器レイアウト表示システム
２：処理装置
３：ＩＣタグ位置特定手段
４：イメージ取得手段
５：表示手段
６：指示手段
７：表示装置
８：物品イメージ情報テーブル
９：物品テーブル
１０：レイアウトイメージマスタ
１１：ＩＣタグ位置情報テーブル
１２：ＩＣタグリーダ
１３：ＩＣタグ
１５：レイアウト
【図１】
2006101630.tif 000003
【図２】
2006101630.tif 000004
【図３】
2006101630.tif 000005
【図４】
2006101630.tif 000006
【図５】
2006101630.tif 000007
【図６】
2006101630.tif 000008
【図７】
2006101630.tif 000009
【図８】
2006101630.tif 000010
【図９】
2006101630.tif 000011
【図１０】
2006101630.tif 000012
【図１１】
2006101630.tif 000013